(57)【要約】【課題】吊り足場の解体時に垂直棒を持ち上げて水平棒から外す時に、垂直棒を持ち上げ過ぎても上層の垂直棒が外れて落下することがなく、安全に解体作業を行うことのできる吊り足場の部材把持構造を提供する。【解決手段】垂直棒１５で各層の足場を吊り下げた吊り足場で、垂直棒１５の上端に設けられた連結板１５Ａには、だるま形孔１５Ｂの大径孔１５Ｃに係合された水平棒１６が大径孔１５Ｃから小径孔１５Ｄに向けて抜け出すことを防止する把持具１７を設け、把持具１７は、自重で水平棒１６を把持する位置に位置付けられるとともに、水平棒１６が大径孔１５Ｃから小径孔１５Ｄに向けて抜け出す方向に力を加えても水平棒１６を把持する位置を維持し、把持具１７に上方向の力を加えた時に前記水平棒１６の把持を解除するようにした。【選択図】      図２
2004251058.tif 000002
【特許請求の範囲】
【請求項１】
上層の足場から着脱自在に吊り下げられた２対以上の垂直棒と、両端に鍔が設けられ、前記対になった垂直棒間に着脱自在に架け渡された水平棒と、該水平棒間に架橋された足場板とから各層の足場が構成され、複数層の足場が吊り下げ形成された吊り足場の部材把持構造において、
前記垂直棒の両端には連結板が設けられ、
該連結板には前記水平棒に設けられた鍔が挿通可能な大径孔と、前記水平棒が挿通可能な小径孔とが接続されただるま形孔が形成され、
前記垂直棒の上端の連結板には、前記だるま形孔の小径孔に係合された前記水平棒が小径孔から大径孔に向けて抜け出すことを防止する把持具が設けられ、
該把持具は、
前記垂直棒を上層の水平棒に吊り下げた時に、自重で前記水平棒を把持する位置に落下し、
前記水平棒が小径孔から大径孔に向けて抜け出す方向に水平棒又は垂直棒に力を加えても水平棒を把持する位置を維持し、
前記把持具に上方向の力を加えた時に前記水平棒の把持を解除するように移動することを特徴とする吊り足場の部材把持構造。
【請求項２】
前記把持具には、前記連結板に設けられた２個のガイドピンに夫々係合する曲線長孔が形成され、前記水平棒が前記だるま形孔の大径孔に向けて移動すべく力が作用した際に、前記把持具が２個のガイドピンのどちらか一方のガイドピンを支点として回動しようとしても他方のガイドピンによってその回動が阻止され、前記水平棒が大径孔に移動できないように構成されていることを特徴とする、請求項１に記載の吊り足場の部材把持構造。
【発明の詳細な説明】
【０００１】
【発明の属する技術分野】
本発明は吊り足場の部材把持構造に係り、特に建設現場の仮設足場に好適な吊り足場の部材把持構造に関する。
【０００２】
【従来の技術】
建設現場における仮設足場は、従来、下方（例えば地上）から上方へと組み立てる、いわゆる組み上げ方式のものが大部分であり、足場丸太又は鋼構造のユニットを連結して骨組みを形成している。この理由としては、第１に仮設足場として最も一般的であること、第２に過去の実績による最も手馴れた方式であり、施工技術が一応確立されていること、第３に他に有効な代替え方式が見当たらなかったことなどの理由による。
【０００３】
しかし、これらの地上から組み上げる方式のものは、組立、解体の作業に必要な工数が多大であり、特に地盤条件の悪い場合には、その整合に多大な作業を有する。また、組立、解体に際して高所作業が多いため、作業安全上好ましくなく、更に、車両や工具の出入りが激しい下方空間を占有するため作業能率に支障をきたす場合が応々にしてあった。
【０００４】
また高層足場においては、垂直荷重が圧縮応力として作用するので、座屈強度を得るため骨組み部材は相応の剛構造が要求され、資材のコストが増大する等の問題を抱えていた。
【０００５】
このような地上組み上げ方式の欠点を解消するものとして、吊り棒で吊り下げられた上部剛部材（支持梁）の下に複数対の垂直棒を吊り下げ、各一対の垂直棒には両端に鍔を有する水平棒を架け渡し、隣同士の水平棒間に足場板を架橋して足場を組立て、次々と下層の足場を吊り下げる方式等、種々の吊り足場が提案されている（例えば、特許文献１参照。）。
【０００６】
この特許文献１に記載された吊り足場においては、垂直棒の両端には連結板が取付けられている。図６に示すように、垂直棒１１２の下端の連結板１１４には水平棒１１６の鍔１２０を挿通する大孔１２４と水平棒１１６の棒部１２２と係合する小孔１２６とを連結するだるま形孔が形成されている。また、垂直棒１１２Ａの上端の連結板１１４Ａにも同様の大孔１２４Ａと小孔１２６Ａとを連結するだるま形孔が形成されている。水平棒１１６を垂直棒１１２、１１２に架け渡す時は、水平棒１１６の鍔１２０を大孔１２４に挿通した後水平棒１１６の棒部１２２を小孔１２６に係合させる。また、垂直棒１１２Ａを水平棒１１６に吊り下げる時も同様にする。
【０００７】
【特許文献１】
特開昭５９−０２４０６５号公報
【０００８】
【発明が解決しようとする課題】
しかし、前記特許文献１に記載された水平棒１６への垂直棒１２Ａの吊り下げ方式では、吊り足場の解体時に以下のような問題を有している。
【０００９】
前述の吊り下げ方式は、連結板１４Ａの大孔２４Ａから水平棒１６の鍔２０を挿通させた後小孔２６Ａと水平棒１６の棒部２２とを係合した状態で吊り下げただけであり、垂直棒１２Ａを持ち上げると水平棒１６の棒部２２が大孔２４Ａの方へ抜け出してしまう。この状態で更に垂直棒１２Ａを持ち上げると、大孔２４Ａの内周下部で水平棒１６の棒部２２を押し上げ、水平棒１６の棒部２２が上層の垂直棒１２下端に設けられた連結板１４Ａの大孔２４の内周上部を押し上げ、上層の垂直棒１２が押し上げられることになる。
【００１０】
上層の垂直棒１２が押し上げられと、更に上層の水平棒１６から上層の垂直棒１２が外れて落下してしまうことがある。上層の垂直棒１２が外れて落下した場合、上層の垂直棒１２で吊り下げられていた水平棒１６や足場板も落下する。
【００１１】
即ち、吊り足場の解体時に垂直棒を持ち上げ過ぎると上層の垂直棒まで持ち上げられて水平棒から外れ、水平棒や足場板とともに落下することがあり、非常に危険であった。
【００１２】
本発明はかかる事情に鑑みてなされたもので、吊り足場の解体時に垂直棒を持ち上げて水平棒から外す時に、垂直棒を持ち上げ過ぎても上層の垂直棒が外れて落下することがなく、安全に解体作業を行うことのできる吊り足場の部材把持構造を提供することを目的とする。
【００１３】
【課題を解決するための手段】
前記目的を達成するために、請求項１に記載の吊り足場の部材把持構造は、上層の足場から着脱自在に吊り下げられた２対以上の垂直棒と、両端に鍔が設けられ、前記対になった垂直棒間に着脱自在に架け渡された水平棒と、該水平棒間に架橋された足場板とから各層の足場が構成され、複数層の足場が吊り下げ形成された吊り足場の部材把持構造において、前記垂直棒の両端には連結板が設けられ、該連結板には前記水平棒に設けられた鍔が挿通可能な大径孔と、前記水平棒が挿通可能な小径孔とが接続されただるま形孔が形成され、前記垂直棒の上端の連結板には、前記だるま形孔の小径孔に係合された前記水平棒が小径孔から大径孔に向けて抜け出すことを防止する把持具が設けられ、該把持具は、前記垂直棒を上層の水平棒に吊り下げた時に、自重で前記水平棒を把持する位置に落下し、前記水平棒が小径孔から大径孔に向けて抜け出す方向に水平棒又は垂直棒に力を加えても水平棒を把持する位置を維持し、前記把持具に上方向の力を加えた時に前記水平棒の把持を解除するように移動することを特徴としている。
【００１４】
請求項１の発明によれば、垂直棒の上端の連結板には、だるま形孔の小径孔に係合された前記水平棒が小径孔から大径孔に向けて抜け出すことを防止する把持具が設けられ、把持具は、自重で水平棒を把持する位置に位置付けられるとともに、水平棒が小径孔から大径孔に向けて抜け出す方向に水平棒又は垂直棒に力を加えても水平棒を把持する位置を維持し、把持具に上方向の力を加えた時に前記水平棒の把持を解除するように移動するので、吊り足場の組立時には容易に水平棒を把持状態にでき、また、把持具を解除しない限り垂直棒を持ち上げるだけでは垂直棒を水平棒から取外すことができず、吊り足場の解体時に垂直棒を持ち上げ過ぎて上層の垂直棒を押し上げても上層の垂直棒が水平棒から外れて落下する恐れがなく、誤って上層の垂直棒を解体落下させることを防止できる。
【００１５】
請求項２に記載の吊り足場は、請求項１の吊り足場の部材把持構造において、前記把持具には、前記連結板に設けられた２個のガイドピンに夫々係合する曲線長孔が形成され、前記水平棒が前記だるま形孔の大径孔に向けて移動すべく力が作用した際に、前記把持具が２個のガイドピンのどちらか一方のガイドピンを支点として回動しようとしても他方のガイドピンによってその回動が阻止され、前記水平棒が大径孔に移動できないように構成されていることを特徴としている。
【００１６】
請求項２の発明によれば、把持具は２個のガイドピンに係合する２個の曲線長孔で案内されるので、水平棒がだるま形孔の大径孔に向けて移動しようとする力が作用した時に、把持具が２個のガイドピンのどちらか一方のガイドピンを支点として回動しようとしても他方のガイドピンによってその回動が阻止されて、水平棒の把持が維持される。
【００１７】
【発明の実施の形態】
以下、添付図面に従って本発明に係る吊り足場の好ましい実施の形態について説明する。なお各図において同一の部材には同一の番号を付している。図１は、本発明に係る吊り足場１０の概略構成を表わす斜視図である。吊り足場１０は、建造物から図示しないワイヤロープ及び吊り棒２１等で吊り下げられた支持梁１１を有し、支持梁１１は最上層の足場となっている。
【００１８】
支持梁１１から下方には複数対の垂直棒１５、１５、…が吊り下げられ、各対の垂直棒１５、１５にはめ込まれた水平棒１６、１６、…、及び各水平棒１６、１６間に架橋された足場板１４、１４、…で第二層の足場が形成されている。第二層の水平棒１６、１６、…からは夫々一対の垂直棒１５、１５が吊り下げられ、各対の垂直棒１５、１５には夫々水平棒１６がはめ込まれ、各水平棒１６、１６間には足場板１４が架橋されて第三層の足場が形成されている。
【００１９】
以下同様にして第四層、第五層、…の足場が形成され、これら複数層の足場によって吊り足場全体が構成されている。
【００２０】
図２は、支持梁１１より下層の足場を形成するための垂直棒１５と水平棒１６の詳細を表わす斜視図である。水平棒１６は両端に夫々２枚ずつの鍔１６Ａ、１６Ａが溶接されている。また、垂直棒１５は両端に連結板１５Ａが溶接され、連結板１５Ａには、水平棒１６の鍔１６Ａの直径より僅かに大きな小径孔１５Ｄと、水平棒１６の棒部１６Ｂの直径よりも僅かに大きな大径孔１５Ｃとが接続されてなるだるま形孔１５Ｂが形成されている。
【００２１】
だるま形孔１５Ｂの形状を更に詳細に説明すると、大径孔１５Ｃの半円部と小径孔１５Ｄとが大径孔１５Ｃの直径と等しい幅の平行溝で接続されており、水平棒１６の棒部１６Ｂは小径孔１５Ｄと大径孔１５Ｃとの間を移動できるようになっている。なお、支持梁１１を吊り下げる吊り棒２１の下端にも、垂直棒１５の両端に設けられたものと同じ連結板１５Ａが取付けられている。
【００２２】
また、水平棒１６の両端に夫々取付けられた２枚の鍔１６Ａ、１６Ａ間の隙間は、垂直棒１５の両端に取付けられた連結板１５Ａの厚さの２倍よりも僅かに大きくなっている。
【００２３】
上層から吊り下げられた垂直棒１５の下端の連結板１５Ａと下層に吊り下げる垂直棒１５の上端の連結板１５Ａとが夫々小径孔１５Ｄから水平棒１６の鍔１６Ａを挿通させ、２枚の鍔１６Ａ、１６Ａ間の隙間の棒部１６Ｂで夫々の大径孔１５Ｃに係合させている。
【００２４】
垂直棒１５の上端の連結板１５Ａには、大径孔１５Ｃに係合された水平棒１６の棒部１６Ｂが小径孔１５Ｄの方向に移動するのを制限する把持具１７が設けられている。把持具１７が棒部１６Ｂの把持を解除する位置に位置付けられている時は、水平棒１６の棒部１６Ｂは大径孔１５Ｃと小径孔１５Ｄの間を自由に移動することができる。また、把持具１７が棒部１６Ｂを把持する位置に位置付けられている時は、水平棒１６の棒部１６Ｂの移動が抑止される。従って把持具１７が棒部１６Ｂを把持している時は、垂直棒１５を上方に持ち上げても、垂直棒１５の連結板１５Ａの大径孔１５Ｃが水平棒１６の鍔１６Ａを挿通できないので、垂直棒１５が水平棒１６から外れないようになっている。
【００２５】
図３、及び図４は、垂直棒１５の連結板１５Ａに設けられた把持具１７を説明するためのものである。図３（ａ）は把持具１７が水平棒１６の棒部１６Ｂを把持する位置に位置付けられた状態を表わし、図３（ｂ）は把持具１７が把持する位置と把持を解除する位置との中間の状態を表わし、図３（ｃ）は把持具１７が把持を解除する位置に位置付けられた状態を表わしている。また、図４は後述の２個のガイドピン１８Ａ、１８Ｂの軸心における連結板１５Ａと把持具１７の断面を表わしている。
【００２６】
図３に示すように、把持具１７は、平面形状が全体が湾曲した曲玉状の平板部材で、平面内の上下に曲線長孔１７Ａと１７Ｂが形成されている。下方に形成された曲線長孔１７Ａは把持具１７の湾曲と同じ方向に湾曲した長孔で、上方に形成された曲線長孔１７Ｂは把持具１７の湾曲と逆方向に湾曲している。
【００２７】
図３、及び図４に示すように、把持具１７は連結板１５Ａの大径孔１５Ｃの外側に曲線長孔１７Ａに挿通されたガイドピン１８Ａ、及び曲線長孔１７Ｂに挿通されたガイドピン１８Ｂによって滑動自在に取付けられている。この時、把持具１７の湾曲方向は大径孔１５Ｃに向けた方向で取付けられている。
【００２８】
ガイドピン１８Ａは、頭部１８ａ、ガイド部１８ｂ、かしめ部１８ｃを有しており、かしめ部１８ｃで連結板１５Ａにかしめ固定されている。ガイドピン１８Ｂも同様に、頭部１８ｄ、ガイド部１８ｅ、かしめ部１８ｆを有しており、かしめ部１８ｆで連結板１５Ａにかしめ固定されている。
【００２９】
また、頭部１８ａ、１８ｄの直径は夫々対応する曲線長孔１７Ａ、１７Ｂの幅よりも大きく、ガイド部１８ｂ、１８ｅの直径は夫々対応する曲線長孔１７Ａ、１７Ｂの幅よりも僅かに小さく形成されている。
【００３０】
図３（ａ）に示すように、把持具１７が水平棒１６の棒部１６Ｂを把持する位置に位置付けられているときは、ガイドピン１８Ａ、１８Ｂのガイド部１８ｂ、１８ｅが対応する曲線長孔１７Ａ、１７Ｂの夫々の最上部に係合しているので、水平棒１６の棒部１６Ｂが大径孔１５Ｃから小径孔１５Ｄに向けて抜け出す方向に水平棒１６又は垂直棒１５に力を加えても、即ち把持具１７に下方向又は斜め下方向あるいは横方向に力を加えても、把持具が２個のガイドピン１８Ａ、１８Ｂのどちらか一方のガイドピンを支点として回動しようとしても他方のガイドピンによってその回動が阻止されて把持具１７は移動せず、棒部１６Ｂを把持する位置を維持する。
【００３１】
把持具１７に上方向の力を加えると、把持具１７はガイドピン１８Ａ、１８Ｂと夫々係合する曲線長孔１７Ａ、１７Ｂとで案内されて回転しながら上方に移動し、図３（ｂ）に示す中間位置を経由して図３（ｃ）に示す把持解除位置まで移動する。この位置では、ガイドピン１８Ａ、１８Ｂのガイド部１８ｂ、１８ｅが夫々曲線長孔１７Ａ、１７Ｂの夫々の最下部に係合しているが、上側の曲線長孔１７Ｂの最下部（右端部）が僅かに上方を向く位置まで把持具１７が回転しているので、この状態では把持具１７が自重で落下することがなく、停止している。
【００３２】
また、この状態から垂直棒１５を右に傾けると（垂直棒１５を水平棒１６の棒部１６Ｂを中心に左側に振ると）、把持具１７の停止状態が解除され、把持具１７が自重で落下して図３（ａ）に示す把持状態になる。
【００３３】
把持具１７は垂直棒１５の両端の連結板１５Ａ、１５Ａの内上側の連結板１５Ａにのみ設けられており、下側の連結板１５Ａには設けられていない。この理由は、把持具１７が吊り足場１０の解体時に垂直棒１５を持ち上げ過ぎた時に上層の垂直棒１５が水平棒１６から外れることを防止するために設けられたものであるからである。
【００３４】
図５は足場板１４を表わす斜視図である。足場板１４は断面コの字型の足場板本体１４Ａと、足場板本体１４Ａの長手方向両端部に取付けられ、夫々２個のフック１４Ｃ、１４Ｃが設けられたフックベース１４Ｂ、１４Ｂとから構成されている。
【００３５】
各層の対になった垂直棒に架け渡された水平棒１６の隣り合う水平棒１６間には、足場板１４が長手方向の両端に設けられたフック１４Ｃ、１４Ｃを水平棒１６に係合させることにより架橋され、各層の足場となっている。
【００３６】
次に、前述の構造を有する吊り足場１０の組立手順について説明する。先ず、最上層の足場となる支持梁１１を地上の所定の位置に搬入する。次に、吊り足場１０を吊り上げる複数本のワイヤロープを地上まで下ろし、各ワイヤロープの先端に連結した吊り棒２１を支持梁１１の所定位置に取付ける。支持梁１１には吊り棒２１を取付ける位置と第二層の垂直棒１５を吊り下げる位置とに、水平棒１６の棒部１６Ｂ、鍔１６Ａと同一寸法の連結部材（付番せず）が取付けられており、吊り棒２１の下端に設けられた連結板で接続される。
【００３７】
次に第二層の垂直棒１５を吊り下げる位置の連結部材に第二層の垂直棒１５、１５、…を取付ける。この時垂直棒１５の上側の連結板１５Ａに設けられた把持具１７を上側に回転させながら持ち上げ、把持解除の位置に位置付けておき、支持梁１１に取付けられた連結部材の鍔を連結板１５Ａの小径孔１５Ｄに挿通させた後垂直棒１５をスライドさせることにより、連結板１５Ａの大径孔１５Ｃと連結部材の棒部とが係合される。次いで把持具１７を回転移動させて棒部を把持する位置に位置付ける。
【００３８】
所定箇所への垂直棒１５の取付が終了すると、図示しない吊り上げ機によってワイヤロープを引き上げ、支持梁１１を下層の一層分だけ吊り上げる。なお、垂直棒１５の取付けは、支持梁１１を吊り上げた後に行ってもよい。吊り上げた後に行う場合は、把持具１７を把持を解除する位置に位置付けて棒部に吊り下げた後、垂直棒１５の下端を棒部を中心に左側に振ることにより、把持具１７の上側の曲線長孔１７Ｂの角度が変わり、把持具１７が自重で落下して把持する位置に位置付けられる。
【００３９】
次に、支持梁１１の幅方向に対に配置されている垂直棒１５、１５の下端の連結板１５Ａに水平棒１６を取付ける。この水平棒１６の取付けは、水平棒１６の両端の鍔１６Ａを垂直棒１５の連結板１５Ａに形成されただるま形孔１５Ｂの小径孔１５Ｄに挿通して下方にスライドすることにより、水平棒１６の棒部１６Ｂをだるま形孔１５Ｂの大径孔１５Ｃに係合させる。
【００４０】
所定箇所の水平棒１６の取付けが終了すると、次に足場板１４の長手方向の両端に設けられたフック１４Ｃ、１４Ｃを水平棒１６に係合させることにより、隣り合う水平棒１６間に足場板１４を架橋する。これで第二層の足場が組み立てられる。
【００４１】
次に、第三層用の垂直棒１５の上端に取付けられている連結板１５Ａを、前述と同様にして、だるま形孔を利用して水平棒１６の端部の鍔１６Ａの内側に嵌め込み、把持具１７で水平棒１６の棒部１６Ｂを把持する。水平棒１６の端部の鍔１６Ａとその内側の鍔１６Ａとの間隔が、連結板１５Ａの厚さの２倍よりも僅かに広いので、第二層の垂直棒１５の連結板１５Ａと第三層の垂直棒１５の連結板１５Ａとが２枚の鍔１６Ａ、１６Ａの間で挟持される。
【００４２】
所定箇所の水平棒１６への垂直棒１５の取付が終了すると、支持梁１１を更に一層分吊り上げて第二層を地上から一層分吊り上げる。なお、第三層用の垂直棒１５の取付けも第二層を吊り上げた後に行ってもよい。以下同様にして一層分ずつ足場を組み立てては吊り上げてゆく。このようにして、地上で組立作業を行い、一層ずつ吊り上げるので、高所作業が著しく軽減される。なお、必要に応じて、任意の層に支持梁１１を組込み、吊り足場全体としての強度を向上させる。
【００４３】
吊り足場１０を解体する場合は、組立とは逆の手順で先ず最下層の足場を解体する。最下層の足場の足場板１４、１４、…を取外し、水平棒１６、１６、…を取外したら、垂直棒１５、１５、…を取外す。この時、垂直棒１５の上端の連結板１５Ａに設けられた把持具１７を上方に押し上げて水平棒１６を把持しない状態にして垂直棒１５を持ち上げ、水平棒１６の鍔１６Ａを小径孔１５Ｄに合わせて取外す。
【００４４】
垂直棒１５を持ち上げるときに、持ち上げ過ぎた場合、水平棒１６を介して上層の垂直棒１５までが持ち上げられるが、上層の垂直棒１５も把持具１７で更に上層の水平棒１６に把持されているので、上層の垂直棒１５が更に上層の水平棒１６から外れることがない。このため、解体中の垂直棒１５の上層の垂直棒１５が水平棒１６から外れて落下し、上層の足場板１４や水平棒１６が落下するという危険な事故が防止される。
【００４５】
最下層の垂直棒１５、１５、…を全て取外すと、次に吊り足場１０全体を一層分吊り降ろし、最下層の上の層の足場を解体する。以下この作業を繰返し、吊り足場１０全体を解体する。
【００４６】
このように組立作業も解体作業も地上の作業で行うことができるので、安全面においてもメリットが大であり、作業工数も大きく削減できる。また、解体作業における垂直棒１５の取外し時に、垂直棒１５を持ち上げ過ぎた場合の上層の垂直棒１５の外れが防止されるので、より一層の安全が確保される。
【００４７】
なお、以上説明した実施の形態では、把持具１７は曲玉形状で、自重落下方式としたが、本発明はこれに限らず、水平棒１６を把持するのに適した形状であれば適宜の形状を用いてもよく、また、自重落下方式に限らずワンタッチで把持位置にセットできるようにしてもよい。
【００４８】
【発明の効果】
以上説明したように、本発明に係る吊り足場の部材把持構造によれば、垂直棒で各層の足場を吊り下げた吊り足場の垂直棒の上端の連結板には、だるま形孔の小径孔に係合された前記水平棒が小径孔から大径孔に向けて抜け出すことを防止する把持具が設けられ、把持具は、自重で水平棒を把持する位置に位置付けられるとともに、水平棒が小径孔から大径孔に向けて抜け出す方向に水平棒又は垂直棒に力を加えても水平棒を把持する位置を維持し、把持具に上方向の力を加えた時に前記水平棒の把持を解除するように移動するので、吊り足場の組立時には容易に水平棒を把持状態にでき、また、把持位置を解除しない限り垂直棒を持ち上げるだけでは垂直棒を水平棒から取外すことができず、吊り足場の解体時に垂直棒を持ち上げ過ぎて上層の垂直棒を押し上げても上層の垂直棒が水平棒から外れて落下する恐れがなく、誤って上層の垂直棒を解体落下させることを防止できるので安全面での効果が著しい。
【図面の簡単な説明】
【図１】本発明に係る吊り足場を説明する斜視図
【図２】本発明に係る吊り足場の垂直棒と水平棒の詳細を表わす斜視図
【図３】本発明に係る吊り足場の把持具を説明する正面図
【図４】把持具の取付け構造を表わす断面図
【図５】足場板を表わす斜視図
【図６】従来の垂直棒と水平棒の詳細を表わす斜視図
【符号の説明】
１０…吊り足場、１１…支持梁、１４…足場板、１４Ｃ…フック、１５…垂直棒、１５Ａ…連結板、１５Ｂ…だるま形孔、１５Ｃ…大径孔、１５Ｄ…小径孔、１６…水平棒、１６Ａ…鍔、１６Ｂ…棒部、１７…把持具、１７Ａ、１７Ｂ…曲線長孔、１８Ａ、１８Ｂ…ガイドピン
【図１】
2004251058.tif 000003
【図２】
2004251058.tif 000004
【図３】
2004251058.tif 000005
【図４】
2004251058.tif 000006
【図５】
2004251058.tif 000007
【図６】
2004251058.tif 000008